(57)【特許請求の範囲】
【請求項１】
１つ以上の第１の受信者へデータを伝えるための少なくとも１つの原信号を送信するために第１のユーザーによって使用され得る周波数スペクトルの一部において第２のユーザーとして通信するように通信装置を動作させる方法であって、
検出された原信号に応答して、
前記少なくとも１つの原信号についての第１の変調スキームの少なくとも１つの特性を決定するステップと、
前記周波数スペクトルの一部内のチャネルにおいて通信するために、第２の信号について、前記第１の変調スキームを使用する復号を混乱させない第２の変調スキームを選択するステップと
を含み、前記第２の変調スキームは情報を通信するために前記第２の信号における変化を含む方法。
【請求項２】
前記第２の変調スキームを選択するステップは、
複数の変調スキームのうち少なくとも２つから選択されたシンボルを含む導出された変調スキームを定義するステップ
を含む請求項１に記載の方法。
【請求項３】
前記導出された変調スキームに従ってデータを符号化することにより、前記第２の信号を生成するステップと、
前記符号化されたデータを含む前記第２の信号を送信するステップと
をさらに含む請求項２に記載の方法。
【請求項４】
導出された変調スキームを定義する前記ステップは、
前記第２の信号が、前記少なくとも１つの原信号の復号化中に前記１つ以上の第１の受信者によって無視されるように、前記導出された変調スキームを定義するステップ
を含む請求項２に記載の方法。
【請求項５】
導出された変調スキームを定義する前記ステップは、
前記導出された変調スキームについて、前記少なくとも２つの変調スキームに含まれるシンボルの組を選択するステップを含み、前記シンボルの組は、前記少なくとも１つの原信号についての前記第１の変調スキームの変調シンボルの第１の組に対して相関の低いシンボルを含む請求項２に記載の方法。
【請求項６】
前記周波数スペクトルの前記一部を使用して、前記第１のユーザーを検出するステップ
をさらに含む請求項１に記載の方法。
【請求項７】
前記一部を使用して前記第１のユーザーを検出する前記ステップは、前記少なくとも１つの原信号の特性に関する通信装置についての所定の情報に基づいて前記第１のユーザーを検出するステップを含む請求項６に記載の方法。
【請求項８】
前記周波数スペクトルの一部を使用して前記第１のユーザーを検出する前記ステップは、前記第１のユーザーによる、前記チャネルに隣接する別のチャネルの使用を検出するステップを含む請求項６に記載の方法。
【請求項９】
前記第１のユーザーは前記チャネルに隣接する第２のチャネルを介してテレビ信号を放送するテレビ放送局であり、前記チャネルは前記第２のチャネルと第３のチャネルとの間の余白である請求項１に記載の方法。
【請求項１０】
変調器を含む無線機であって、設定可能な変調スキームに従って認可されたスペクトルのチャネルにおいて送信するように設定可能である、無線機と、
前記無線機のためのコントローラーであって、
前記チャネルにおける原信号の通信を検知し、前記原信号は前記認可されたスペクトルの一部についてのライセンシーによって送信され、
前記原信号についての第１の変調スキームの少なくとも１つの特性を決定し、
前記第１の変調スキームを使用する復号を混乱させない第２の変調スキームを選択し、
前記第２の変調スキームにより第２の信号を通信するように前記無線機を設定する
ように構成されたコントローラーと
を備える装置。
【請求項１１】
前記第２の変調スキームの選択は、
複数の変調スキームのうち少なくとも２つから選択されるシンボルを含む導出された変調スキームを定義することを含み、該シンボルは前記少なくとも１つの原信号について使用される前記第１の変調スキームの第１の変調シンボルに対して相関の低いシンボルを含む請求項１０に記載の装置。
【請求項１２】
前記第２の変調スキームの選択は、
前記第２の信号においてデータを送信するための第２の符号系列を選択することを含み、前記第２の符号系列は前記第１の信号においてデータを送信するために使用される前記第１の変調スキームの第１の符号系列に対して相関が低い、請求項１０に記載の装置。
【請求項１３】
前記無線機は少なくとも第１のあらかじめ設計された信号及び第２のあらかじめ設計された信号に従って通信するように構成され、
前記第２の変調スキームにより第２の信号を通信するように前記無線機を設定することは、前記第１のあらかじめ設計された信号に従って前記第２の信号の第１のシンボルを送信し、前記第２のあらかじめ設計された信号に従って前記第２の信号の第２のシンボルを送信するように前記無線機を設定することを含む請求項１０に記載の装置。
【請求項１４】
前記チャネルにおける原信号の通信を検知することは、前記チャネルに隣接する第２のチャネルにおける原信号の通信を検知することを含む請求項１０に記載の装置。
【請求項１５】
前記原信号は前記チャネルに隣接する第２のチャネルを介して放送されるテレビ信号であり、前記チャネルは前記第２のチャネルと第３のチャネルとの間の余白である請求項１０に記載の装置。
【請求項１６】
コンピューターにより実行されると、１つ以上の第１の受信者へデータを伝えるための少なくとも１つの原信号を送信するために第１のユーザーによって使用され得る周波数スペクトルの一部において第２のユーザーとして通信するように通信装置を動作させる方法を前記コンピューターに実行させるコンピューター実行可能命令が符号化された少なくとも１つのコンピューター読み取り可能な記憶媒体であって、前記方法は、
検出された原信号に応答して、
前記少なくとも１つの原信号についての第１の変調スキームの少なくとも１つの特性を決定するステップと、
前記周波数スペクトルの一部内のチャネルにおいて通信するために、第２の信号について、前記第１の変調スキームを使用する復号を混乱させない第２の変調スキームを選択するステップと
を含み、前記第２の変調スキームは情報を通信するために前記第２の信号における変化を含む、少なくとも１つのコンピューター読み取り可能な記憶媒体。
【発明の詳細な説明】
【技術分野】
【０００１】
本発明は、認知的低干渉信号によるチャネル再利用に関する。
【背景技術】
【０００２】
[0001]無線送信は、計算装置間の無線ネットワーキングのほか、ラジオ及びテレビのコンテンツの放送をサポートするためなど、他の設定において使用される。異なるユーザーの信号間の干渉を回避するために、無線通信に利用可能な全スペクトルのうち異なる部分が異なる使用に割り当てられる。
【０００３】
[0002]無線スペクトルは２つの主な部分（セクター）に管理上分割されてきた：認可されたスペクトルと無認可のスペクトルである。認可されたスペクトルは、民間放送局などの組織による独占使用のために、当該組織に対して認可された周波数からなる。例えば、スペクトル（または「周波数帯域」、「帯域」又は「チャネル」として知られている）の一部は、移動体通信会社の加入者によって発せられた音声呼及びデータ呼を表す情報を通信する際に使用するために移動体通信会社に対して認可されてもよいし、又は、テレビコンテンツを表す音声及び動画データを運ぶ信号を送信するメディア放送局に対して認可されてもよい。他方、無認可のスペクトルは公衆による自由な使用に割り当てられてきたが、通常、無認可のスペクトルの使用は、ユーザー間の干渉を最小化するように設計される、最大電力出力規制などの幾つかの規制に従って動作することを必要とする。
【０００４】
[0003]しかし、無線スペクトルは、第３のスペクトル部分（セクター）：認可されたスペクトルの未使用の部分を有すると考えられる。これらの未使用部分は幾つかの種類に分類され得る。第１に、周波数帯域は組織によって認可されてもよいが、当該組織はいつでもその帯域を使用しているわけではなく、又は断続的に使用するので、当該組織は所与の時間においてその帯域を使用していないかもしれない。したがって、第１の種類の未使用部分は、所与の時間において、使用されていないか又は十分に使用されていない認可された帯域である。第２に、認可されたスペクトルの周波数帯域が組織に割り当てられる場合、通常、それらは正確には連続して割り当てられない；代わりに、２つの組織が互いと干渉するのを防ぐために、認可された部分の間にギャップがあってもよい。単純化された例において、３００ＭＨｚと３５０ＭＨｚとの間で５０ＭＨｚの帯域幅を有する認可されたスペクトルの部分が２つの組織の間で分割されることになっている場合、３００−３２０ＭＨｚの帯域は第１の組織に認可され、３３０−３５０ＭＨｚの帯域は第２の組織に認可され、３２０−３３０ＭＨｚの帯域は割当てられずに残されてもよい。「余白（whitespace）」と呼ばれる、認可されたスペクトルのうちの割り当てられていない帯域は、第１の組織からの信号が第２の組織からの信号の送信と干渉するリスクを最小化する、２つの送信間のバッファーを提供するように設計される。これらの余白は、テレビの使用に割り当てられたスペクトルの一部に配置されるという点では割り当てられていると考えられるが、特定のエンティティによる使用のために指定されていないという点では割り当てられていないと考えられる。余白は認可されたスペクトルの第２の種類の未使用部分である。
【発明の概要】
【発明が解決しようとする課題】
【０００５】
[0004]最近、第２のユーザーとして働く無認可の送信機によって認可されたスペクトルの未使用部分が使用され、あたかも未使用部分が無認可のスペクトルの一部であるかのように、未使用部分又は隣接チャネルの被許諾者が第１のユーザーであることが提案されてきている。しかし、余白をそのように使用することは、新たに送信された信号される信号（すなわち、第２のユーザーによって送信される信号）が使用されている帯域又は近隣の帯域のライセンシーに関連付けられる既存の信号（すなわち、第１のユーザーによって送信されているか送信されるであろう信号）の送信と干渉するのを防ぐ技術を使用することに関して予測される。
【０００６】
[0005]干渉を防ぐための技術の１つのクラスは検出及び回避（ＤＡＡ）と呼ばれ、超広帯域（ＵＷＢ）プロトコルなどの幾つかの通信技術によって実施されてきた。ＤＡＡ技術において、送信機が情報を送信することを望むチャネルは、データがチャネルを介して送信されているか否か、又は、干渉が起こりそうなくらい十分に接近している別のチャネルでデータが送信されているか否かを決定するために監視される。次に、検出及び回避プロトコルに従って、通信がモニタリング中にチャネルにおいて検出される場合、当該チャネルは回避され、又は低パワーの送信のみが許可される。このようにＤＡＡ技術を使用することにより、新たな信号が既存の信号と同じチャネルで−又は第２の隣接チャネルを介して−同時に送信されるのを防ぎ、したがって、新たな信号が既存の信号の送信と干渉するリスクを最小化する。
【０００７】
[0006]余白において、ＤＡＡ技術は、余白における送信が隣接周波数帯域における既存の信号と干渉するかどうかを決定するために、隣接する割り当てられた周波数帯域からの信号を検出するために実行されてもよい。隣接する帯域から任意の既存の信号が検出される場合、余白は、既存の信号との干渉を防ぐために回避されてもよいし、又は送信パワーが低減されてもよい。組織に対して認可されたが潜在的に未使用であるチャネルにおいて、ＤＡＡ技術は、チャネルに存在し得るライセンシング組織からの既存の信号を検出するために実行されてもよい。既存の信号が検出される場合、チャネルが回避されてもよい。
【課題を解決するための手段】
【０００８】
[0007]出願人は、無線装置が同じチャネル又は隣接チャネルにおける既存の信号と同時に使用することができる新たな信号を展開する場合、無線通信、及び特にコンピューターネットワークのための無線通信にとって周波数スペクトルのより多くの部分が利用可能となり得ることを認識した。新たな信号は、そのような新たな信号が同じ又は隣接するチャネルにおける既存の信号から情報を抽出する装置の能力を身につけているという効果に基づいて開始されてもよい。その結果、より大きなスペクトルを無線通信に利用することが可能である。例えば、コンピューターネットワークは、ワイヤレスローカルエリアネットワーク（ＷＬＡＮ）であっても、又はより大きなワイヤレス広域ネットワーク（ＷＷＡＮ）及びワイヤレス地域ネットワーク（ＷＲＡＮ）であっても、その他の方法では認可されたスペクトルにおいて未使用の通信容量となるものの内で送信してもよい。
【０００９】
[0008]適切な新たな信号フォーマット（形式）は、既存の信号において情報が通信されている間隔にわたって、新たな信号と既存の信号との間の低い相関を提供する信号特性を選択することにより開発（展開、開始、develop）されてもよい。選択されるこれらの特性は、ＣＤＭＡ通信のための信号を生成するのに使用される新たな信号又は符号系列におけるシンボルを表すのに使用されるコンステレーション（constellation）などの、新たな信号において情報が変調される方法に関連してもよい。新たな信号のそのような特性を適切に選択することによって、新たな信号は、受信機が既存の信号から情報を復調し抽出する方法や有効性を混乱させない。
【００１０】
[0009]以上のものが本発明の限定的でない概要であることが意図され、本発明は添付の特許請求の範囲によってのみ規定されことが認識されるべきである。
[0010]添付の図面は、縮尺どおりに描かれるようには意図されない。図面において、様々な図に示される同一又はほとんど同一のコンポーネントはそれぞれ、類似の数字によって表される。明瞭さの目的のために、すべての図面においてすべてのコンポーネントがラベル付けされなくてもよい。
【図面の簡単な説明】
【００１１】
【図１】[0011]本明細書に記載された原理のうちの幾つかによる技術が動作し得る例示的なシステムの例である。
【図２】[0012]信号がその間の余白を介して送信されている２つのチャネルを示す周波数領域における２つの信号のグラフである。
【図３】[0013]本明細書に記載された原理のうちの幾つかに従って実施され得る、１つ以上の既存の信号の受信を混乱させる（崩壊させる、disrupt）ことなく送信され得る新たな信号のパラメーターを決定する処理のフローチャートである。
【図４】[0014]本明細書に記載された原理のうちの幾つかに従って実施され得る、１つ以上の既存の信号の受信を混乱させない、新たな信号においてデータが送信され得る変調スキームを決定する処理のフローチャートである。
【図５】[0015]本明細書に記載された原理のうちの幾つかに従って実施され得る、既存の信号の受信を混乱させることなく新たな信号を送信するための符号系列を選択する、実例となる処理のフローチャートである。
【図６Ａ】[0016]従来の計算装置に利用可能となり得る２つの例示的なコンステレーションを示す略図である。
【図６Ｂ】従来の計算装置に利用可能となり得る２つの例示的なコンステレーションを示す略図である。
【図６Ｃ】[0017]１つ以上の既存の信号の受信を混乱させない新たな信号においてデータが送信され得る、導出された変調スキームにおける使用のために、図６Ａ及び図６Ｂにおいて示されるコンステレーションから選択されたシンボルにより、導出されたコンステレーションを示す略図である。
【図７Ａ】[0018]本明細書に記載された原理のうちの幾つかに従って実施され得る、宛先において既存の信号の受信を混乱させず、又は宛先において装置の動作と干渉しない、変調スキームを導出する、実例となる処理のフローチャートである。
【図７Ｂ】本明細書に記載された原理のうちの幾つかに従って実施され得る、宛先において既存の信号の受信を混乱させず、又は宛先において装置の動作と干渉しない、変調スキームを導出する、実例となる処理のフローチャートである。
【図８】[0019]本明細書に記載された原理のうちの幾つかによる、１つ以上の既存の信号の受信を混乱させない、新たな信号を送信し得る、１つの例示的な計算装置のブロック図である。
【図９】[0020]計算装置によって実施され得る例示的な無線システムのコンポーネントのブロック図である。
【発明を実施するための形態】
【００１２】
[0021]出願人は、検出及び回避（ＤＡＡ）のような周波数スペクトルを共有するための既存の技術が、第１のユーザーのために確保されている認可された帯域におけるチャネルを第２のユーザーが使用することを可能にする点で有効でないか、又は認可された帯域に対する所望のレベルのアクセスを第２のユーザーに提供しないことを認識し、理解している。
【００１３】
[0022]さらに、出願人は、認可されたスペクトルの未使用の部分又は十分使用されない部分においてでさえ、第２のユーザーによるデータ送信を許可するよに、米国連邦通信委員会（ＦＣＣ）などの、無線送信を規制する行政機構を説得すべく、第１のユーザーに対する混乱を回避するための改善された手法が要求されると思われるということを認識し理解している。
【００１４】
[0023]出願人は、第１のユーザーによって送信される既存の信号において伝えられる情報の受信に対して新たな信号が有する影響に基づいて、第２のユーザーによって送信されるべき新たな信号を開始する（develop）ことにより、干渉を防ぐための改善された技術が実施され得ることを認識し理解している。改善された技術によれば、既存の信号を処理するように構成された受信機が新たな信号を受信する場合、新たな信号は既存の信号のデータを破壊せず、既存の信号中のデータに取って代わらず、そうでなければ、既存の信号を受信すると意図した装置の動作と干渉しない。
【００１５】
[0024]出願人は、新たな信号が既存の信号のサンプリング、チャネル内の認可された使用の性質及び／又は既存の信号の宛先における受信機の特性のうちいずれかを分析することにより、新たな信号が既存の信号を混乱させるか否かを予測することが可能であることを認識している。様々な実施例は、これらの技術のうち１つ以上、又は新たな信号が既存の信号の受信機によってデータとして認識され処理され得るか否かを識別するための他の適切な技術を使用してもよい。新たな信号がデータとして認識され処理される場合、新たな信号は、例えば、既存の信号中のデータを破壊することによって、既存の信号を混乱させてもよい。本発明の実施例は、既存の信号の受信機の特性及びパラメーターに基づいて、混乱が小さく、新たな信号に基づいて既存の信号中のデータを受信機が変更する可能性が低い信号を適切に選択する。（他の方法で言及しない限り、「受信機」又は「宛先」への言及は、本明細書において、既存の信号の受信機又は宛先を指すことが認識されるべきである。）
[0025]これらのような技術は、幾つかの環境において、新たな信号が既存の認可された通信を混乱させるという懸念を低減し、無線スペクトルの認可された帯域内で無認可のユーザーによって新たな信号を送信するために、使用されてもよい。認可された帯域における第１の既存の信号の特性はまれに変更するので、第２の信号が使用される場合以外のある時点において得られる、認可された帯域の第１のユーザーによって使用される信号に関する情報に基づいて新たな第２の信号を発生させることは可能かもしれない。例えば、帯域の第１のユーザーに関する情報は、第２の信号の使用に先立って無線装置において提供されてもよい。代替的に、ポータブルＰＣ又はスマート携帯電話などのモバイルコンピューティング装置については、装置は、それが原信号（primary signal）を有効に受信することができる地域において、及びそのエリアから外へ、移動してもよい。ある時に決定された原信号の特性は別の時において第２の信号を生成するために使用されてもよい。したがって、既存の信号の検出が困難であるか又は不可能な場合でさえ、チャネルの原信号を受信するための装置との干渉は回避され得る。
【００１６】
[0026]上述の技術は、既存の信号を送信するために使用され得る認可されたスペクトルのチャネルにおいて第２のユーザーが新たな信号を送信することを可能にするために使用されてもよい。これらの技術はまた、スペクトルの無認可の部分においてデータを送信する際に望ましいかもしれない。簡潔に上述されるように、通常、当該送信が他の送信機による既存の信号の送信と干渉しないことを含む、幾つかの規制に従ってなされる限り、送信機による無認可のスペクトルにおける送信は許可される。しかし、上記のように、従来の技術は混乱の問題を取り除かないかもしれない；任意の新たな信号は既存の信号を混乱させ得る。無認可の周波数スペクトルのチャネルにおいて既存の信号を検査し、既存の信号の宛先について受信手続の特性及びパラメーターを決定することによって、送信機は、新たな信号が既存の信号の受信機によって受信されたと見なされるデータを変更するかどうかを決定することができる。新たな信号がそのデータを変更する場合、それは送信されなくてもよい。さらに又は代替的に、送信機は、既存の信号の受信機により出力されるデータを変更しない新たな信号を生成することを可能にされてもよい。このように、無認可のスペクトルにおける送信もまた改善され得る。
【００１７】
[0027]さらに詳細に以下で説明されるように、本明細書に記載された原理のうちの幾つか又はすべてに従って動作する技術は、任意の適切な無線ラジオコンポーネントを使用して、任意の適切な計算装置において実施されてもよい。ラップトップパソコン又はワイヤレスアクセスポイントは、以下に挙げられた様々な例において、既存の信号の受信機によって認識されず復号されない方法で新たな信号を送信しようとする計算装置の例として使用される。しかし、本発明の実施例は任意の特定の装置とともに動作することに限定されていないので、新たな信号の送信機又は受信機が無線通信を行う任意の適切な計算装置となり得ることが認識されるべきである。さらに、計算装置は、ハードウェア及び／又はソフトウェアにおいて任意の適切な無線機能を実施する任意の適切な種類の無線ラジオコンポーネントを含んでもよい。したがって、本発明の実施例が無線ラジオ信号が生成される方法に限定されないので、無線動作は、任意の適切な従来の技術を使用するハードウェアにおいて完全に実行され、任意の適切なソフトウェアで定義される無線（ＳＤＲ）技術を使用するソフトウェアにおいて完全に実行され、又はハードウェア及びソフトウェアの任意の適切な組み合わせにおいて実行されてもよい。
【００１８】
[0028]さらに、本明細書に記載された原理のうちの幾つか又はすべてに従って動作する技術は、任意の適切な目的のために任意の適切な環境において動作し及びデータを送信し得ることが認識されるべきである。したがって、環境における既存の信号は、２つの計算装置間又は放送局と受信機との間を含む、ソースと宛先との間で送信される任意の適切な信号であってもよい。以下の様々な例において、既存の信号はテレビ信号として記載されるが、これがコンテキストに提供される例にすぎず、本発明の実施例がテレビ信号を含む環境において送信することに限定されず、テレビ信号の受信との干渉を防ぐような方法で送信することに限定されないことが認識されるべきである。また、計算装置が任意の適切な目的のために新たな信号を送信してもよいことが認識されるべきである。以下に挙げられた様々な例において、計算装置は、地域無線ネットワーク（ＷＲＡＮ）に関連する信号を送信するものとして記載されてもよいが、これがコンテキストに提供される１つの例にすぎず、任意の適切なデータ及び／又は信号が計算装置によって送信され得ることが認識されるべきである。
【００１９】
[0029]明瞭さのために、本明細書に記載された例のうちの幾つかは、「既存の信号」及び「新たな信号」のコンテキストにおいて説明され、新たな信号が送信される場合、既存の信号の受信の混乱を防ぐ技術が実施される。しかし、これらの例は、本発明の幾つかの実施例が動作し得る、様々なシステム及びコンテキストの例にすぎないことが認識されるべきである。幾つかのコンテキストにおいて、「新たな」信号は「既存の」信号よりはるかに長い間送信されてもよい。より正確にいえば、本明細書において使用される場合、「既存の信号」は、送信されたか又は送信されている任意の信号であってもよく、又は、チャネルの第１のユーザーによって送信され、原信号と呼ばれてもよい。第１のユーザーは、チャネルのライセンシーなど、チャネルを予約したか、又はある他の方法でチャネルを使用するよう許可を与えられた任意のパーティであってもよい。「新たな信号」は、チャネルの第２のユーザーによって送信された任意の信号であり、第２の信号と呼ばれてもよい。第２のユーザーは、チャネル（又はチャネルの隣の余白などの隣接チャネル）を使用している、第１のユーザー以外の任意のパーティであってもよい。特定の例として、第１のユーザーは、テレビ信号の送信のために認可された周波数スペクトルの一部を使用するための、政府又は他の行政機関からの許可を有しているテレビ放送局であってもよく、既存の信号は、送信されたか又は送信されており、又はテレビ放送局によって特定の周波数帯域において送信されるであろう、任意の信号であってもよい。以下の例によれば、第２のユーザーは、通信装置又はワイヤレスアクセスポイントを含む、特定の周波数帯域又はその近くで（すわなち、周波数帯域又は隣接する余白において）動作するＷＲＡＮに関連付けられる任意の計算装置であってもよく、ＷＲＡＮに関連付けられる任意の信号は新たな信号であってもよい。
【００２０】
[0030]したがって、幾つかのコンテキストにおいて、「既存の信号」は全く送信されなくてもよいが、その代わりに第１のユーザーによって今後いつでも送信され得る−又は過去において任意の時に送信された−信号であってもよく、どの信号が「新たな信号」でありどの信号が「既存の信号」であるかを決定する場合に生成の順序は要因となる必要がないことはさらに認識されるべきである。
【００２１】
[0031]さらに、無線スペクトルの任意のチャネルが新たな信号を送信するために計算装置によって送信に使用されてもよい。以下に述べられる様々な例において、無線スペクトルの未使用部分を介して新たな信号を送信することができ、未使用部分は認可されたスペクトルのテレビチャネル間の余白として記載されてもよい。しかし、認可されたスペクトル又は無認可のスペクトルにおけるチャネル及び第１のユーザーによって使用されるそれらと重なる余白又はチャネルを含む、無線スペクトルの任意の適切な部分における任意の適切なチャネルを使用することができることが認識されるべきである。テレビチャネル間の余白が未使用部分の種類の１つの例にすぎず、任意の適切な未使用部分が新たな信号を送信するためにチャネルとして使用されてもよいことがさらに認識されるべきである。さらに、上述のように、本発明の実施例は認可されたスペクトルの未使用部分とともに動作することに限定されず、その代わりに、本発明の実施例が任意の特定のチャネル又はチャネルの種類で動作することに限定されていないので、第１のユーザー及び第２のユーザーによって使用され得る、割り当てられた又は割り当てられていない任意の適切なチャネル上で動作し得ることが認識されるべきである。
【００２２】
[0032]幾つかの例となる実施例がここに記載される。しかし、本明細書に記載された本発明の態様はこれら又は任意の他の特定の実施例に限定されないので、これらは単なる例である。
【００２３】
[0033]図１は、本発明の幾つかの実施例が動作し得る例示的な環境を示す。図１の環境は少なくとも２つの放送アンテナ１００Ａ及び１００Ｂを含み、各々は周波数チャネルにおいて信号を送信する。これらのアンテナは、任意の適切な目的のために信号を送信してもよい。幾つかの実施例において、それらは、ＦＣＣ又は他の行政機構によって認可された周波数スペクトルにおいてスペースを割り当てられた民間放送局などの組織に関連付けられてもよい。例えば、アンテナ１００Ａは第１のチャネルにおいて信号を送信するテレビ放送局に関連付けられてもよく、アンテナ１００Ｂは、第２のチャネルにおいて信号を送信するテレビ放送局に関連付けられてもよい。しかし、テレビ放送局がアンテナ１００Ａ及び１００Ｂが関連され得る組織の種類の１つの例にすぎず、アンテナが任意の適切な目的にとってふさわしい方法で任意の適切な信号を送信してもよいことが認識されるべきである。
【００２４】
[0034]単純にするために、図１の例において、アンテナ１００Ａと１００Ｂの両方は、点線の円１０２として図１に示される同じサービス地域（送信される信号が受信され得る地域）を有すると考えることができるが、実際は、サービス地域は同じでなくてもよい。サービス地域１０２内に、アンテナ１００Ａ及び１００Ｂによって送信される信号の宛先１０４がある。図１において、宛先は、セットトップ・ボックス（ＳＴＢ）１０４Ｂを備えたテレビ１０４Ａとして示される。テレビ１０４Ａ及び／又はＳＴＢ１０４Ｂは、アンテナ１００Ａ及び１００Ｂによって送信された信号を受信し、望まれないコンテンツを無視する様々な方法のうち任意のものによりそれらを処理し、テレビ１０４Ａに所望のコンテンツを表示してもよい。例えば、テレビ１０４Ａ又はＳＴＢ１０４Ｂのアンテナは、アンテナ１００Ａ及び１００Ｂの各々により送信された信号を含み得る「受信された信号」を受信してもよい。ユーザーが、アンテナ１００Ａに関連付けられるチャネルなどの、特定のチャネルにテレビ１０４Ａを合わせると、受信機１０４は、受信された信号を処理のための受信手続を介して実行して、アンテナ１００Ａからの信号に関連付けられる信号コンテンツのみを復号するのを試みてもよい。その後、この受信手続は、アンテナ１００Ａによって送信された信号を生成してもよく、それはテレビ１０４Ａに表示されてもよい。
【００２５】
[0035]例示的な受信信号を示す受信信号パワー対周波数のグラフが図２に示される。グラフ２００は、周波数領域における受信信号の分析、及び受信信号に含まれる各信号周波数に関連付けられる値を示す。スペクトルにわたって、グラフにわたる小さなパワーとして示される信号における最小の量の「雑音」があってもよい。受信信号はまた、様々なチャネル上で送信されるデータを含んでもよく、周波数領域におけるそのような信号の分析はデータを運ぶ周波数におけるより大きなパワー値を示す。グラフ２００は２つのそのような領域２０２及び２０４を示す。図１のコンテキストにおいて、これらのチャネル２０２及び２０４は、図１のアンテナ１００Ａ及び１００Ｂが送信しているチャネルにそれぞれ関連付けられ得る。アンテナ１００Ａによって送信されるテレビコンテンツなどの、所望のデータを生成するために、受信手続を行う場合、受信機は、所望のチャネルにない周波数に関連付けられるすべての値を除去することを試みてもよい。したがって、図１の例において、受信機１０４は、チャネル２０２に関連付けられる信号コンテンツをデータとして解釈するにすぎず、他のすべての信号コンテンツを無視してもよい。
【００２６】
[0036]上述のように、民間放送局などの組織に対して認可された無線スペクトルのチャネルを許可する、ＦＣＣなどの行政機構は、通常、これらのチャネルを正確に連続的に割り当てない。余白チャネル２０６として図２に示されるこれらの余白は、受信機１０４などの宛先によって行われる受信手続をより簡単にするために作成される、というのは、それらがチャネルの正確な端において信号コンテンツを処理又は無視する、困難なタスクを行うように設計される必要はないからである。代わりに、チャネル間のわずかなバッファーのために、第１のユーザーは、チャネル２０２及び２０４に加えて、余白の一部を復号する受信手続を設計することができる。例示的な受信手続の処理境界は境界２０８及び２１０として示される。
【００２７】
[0037]上述のように、既存の信号を混乱させることなく又は受信機１０４への変更を要求することなく第２のユーザーが余白において送信することができるならば、無線スペクトルの一部が利用可能となり得ることは認識されていた。出願人は、第１のユーザーを混乱させることなく第２のユーザーが割り当てられたチャネル２０２及び２０４を使用することができれば、スペクトルのさらに大きな使用を容易にすることができると認識した。
【００２８】
[0038]本明細書に記載された原理のうちの幾つかによって動作する技術は、これらの余白、無線スペクトルの他の未使用部分、又は幾つかの実施例においては、第１のユーザーに割り当てられたチャネルにおいて、データを送信するのに使用されてもよい。図１の例において、サービス地域１０２内では、余白を使用して無線でデータを交換しようとしているワイヤレスアクセスポイント１０６及び計算装置１０８も存在してもよい。しかし、受信機１０４の受信手続が余白の部分における信号によって影響され得るので、アクセスポイント１０６及び計算装置１０８は、それらが余白を使用する場合に、チャネル２０２及び２０４における既存の信号での通信を混乱させるというリスクがある。したがって、余白において新たな信号を送信しようとする計算装置は、それらの新たな信号が、データ損失を引き起こし得る、既存の信号からデータを抽出する受信機の結果を変更しないということを保証する必要がある。本明細書に記載した様々な技術によれば、ワイヤレスアクセスポイント１０６は、アンテナ１００Ａ又は１００Ｂによって送信される信号におけるデータの受信を混乱させることなしに計算装置１０８へデータを送信できる信号を発生させるために送信をしている環境を分析するように構成されてもよい。
【００２９】
[0039]図３は、信号を発生させるために使用され得るそのような処理の１つの例を示し、それによって、チャネル又は近くのチャネルの任意の他のユーザーによって送信される既存の信号の受信を混乱させることなく周波数チャネルにおいてデータが送信される。この例において、チャネルは認可された帯域における１つのチャネルである。また、この例において、認可された帯域の第１のユーザーによる使用に際してチャネル間の余白において新たな信号を送信するために、処理は第２のユーザーによって使用される。しかし、図３に示される処理３００は本明細書に記載された原理のうちの幾つかに従って実行されてもよい処理の種類の例示的なものにすぎないことが認識されるべきである。さらに、処理３００は図１に示される環境のコンテキストにおいて述べられているが、処理３００が任意の適切な環境において実施されてもよいことが認識されるべきである。
【００３０】
[0040]図３の処理は任意の適切な時に行われてもよい。例えば、処理３００は、各送信の前に、チャネルを選択し、チャネルにおける既存の信号に基づいて新たな信号を発生させるために実行されてもよい。例えば、既存の信号の伝送特性が頻繁に変化している場合、これは、幾つかの環境において又は幾つかのチャネルについて行われてもよい。しかし、別の例において、処理３００は、計算装置１０８がワイヤレスアクセスポイント１０６との通信セッションを確立するたび（例えば、計算装置１０８がワイヤレスアクセスポイント１０６と関連する場合）など、それほど頻繁に行われなくてもよい。これは、既存の信号の伝送特性がまれに変化している幾つかの環境において又は幾つかのチャネルについて行われてもよい。
【００３１】
[0041]処理３００は、ワイヤレスアクセスポイント１０６がスペクトルのチャネルを選択するブロック３０２において開始する。この例において、ワイヤレスアクセスポイント１０６はスペクトルの未使用部分を見つけるが、任意の他の適切なチャネルが選択されてもよい。当該選択は、既知の余白のリストなどの、スペクトルの既知の未使用部分のリストを調べることによってなど、任意の適切な方法でなされてもよいし、又はスペクトルの任意のチャネルがその時に使用されていないかどうかを決定するためにワイヤレスアクセスポイント１０６によって受信される信号を分析することを含んでもよい。上述のように、未使用部分は、ある組織に対して認可されたチャネルであってもよく、将来のある時点で情報を伝えてもよく、又は割り当てられたチャネル間の余白を識別することを含んでもよい。ブロック３０４において、次に、ワイヤレスアクセスポイント１０６は、スペクトルの未使用部分の使用によって混乱するかもしれない任意の既存の信号（その時に存在するか又は将来送信され得る）を決定してもよい。当該決定は任意の適切な方法でなされてもよい。
【００３２】
[0042]幾つかの実施例において、ブロック３０４における既存の信号の種類の決定は、スペクトル中の周波数チャネルの割り当てに関する情報を調べることを含んでもよい。例えば、ワイヤレスアクセスポイント１０６は、様々な組織へのチャネルの割り当て、及びそれらの組織によって送信される信号に関する情報を提供されてもよい。当該情報を調べることによって、ワイヤレスアクセスポイント１０６は、テレビ信号などの固有の信号の送信に未使用部分−又は、余白の場合などにおいては未使用部分の近くのチャネル−が割り当てられたと決定してもよい。したがって、既存の信号はそれらの固有の信号であると決定されてもよい。
【００３３】
[0043]代替的な実施例において、どの種類の既存の信号がブロック３０４に存在し得るかを決定することは、未使用部分に任意の信号があるかどうかを検出するために未使用部分を検知すること、又は、余白の場合には、それらのチャネルに信号があるかどうかを決定するために近くのチャネルを検知することを含んでもよい。その後、それらの種類を決定し、したがって既存の信号を識別するために、任意の検出された信号は、ワイヤレスアクセスポイント１０６によって分析されてもよい。任意の適切な技術が使用され得るので、もしあるのならどのような既存の信号がチャネルに存在し得るかを決定するこれらの技術は、実施され得る技術の例にすぎないことが認識されるべきである。
【００３４】
[0044]ブロック３０４において既存の信号を検出すると、ブロック３０６において、既存の信号の宛先が、これらの宛先が受信される信号に対して受信手続をどのように行うのかを決定するためにレビュー（見直し、精査、review）されてもよい。既存の信号の宛先は、既存の信号を受信し、データをそこに抽出し使用するために既存の信号を処理するように構成された任意の装置であってもよい。例えば、テレビがそのアンテナを介してテレビ信号を受信し、テレビ画像を提示するために信号中のデータを使用するように構成されるとき、テレビ信号の宛先はテレビであってもよい。
【００３５】
[0045]既存の信号の宛先は、その所望のデータを生むために受信された信号に対して受信手続を行う。上述のように、受信手続は様々な特性及びパラメーターに基づいて実行されてもよく、これらの特性及びパラメーターをレビューすることは、受信手続によって示されるデータを変更しない新たな信号を生み出す方法に対する洞察を提供し得る。このように、既存の信号を混乱させる可能性の少ない新たな信号を送信することができる。
【００３６】
[0046]宛先の受信手続の特性及びパラメーターは任意の適切な方法でブロック３０６におけるレビューのために決定されてもよい。ある場合には、既存の信号の宛先の特性及びパラメーターが、第２のユーザーによって受信された既存の信号の分析によって、第２のユーザー−新たな信号の送信機−によって推測されてもよい。他の実施例において、特性及びパラメーターは、１つ以上の標準に従って前もって知られていてもよい。例えば、ワイヤレスアクセスポイント１０６がある種類のテレビ信号に割り当てられた、認可されたスペクトルの一部の余白において新たな信号を送信することを意図する場合、ワイヤレスアクセスポイント１０６は、受信された信号をそれらの種類に従って処理する受信手続を宛先が有することに気づいていてもよい。例えば、米国では、テレビ信号は、全国テレビジョン方式委員会（ＮＴＳＣ）又は次世代テレビシステム委員会（ＡＴＳＣ）規格に従って送信される。次に、テレビ信号の宛先（例えば、テレビ）は、ＮＴＳＣ（又はＡＴＳＣ）規格に従って受信された信号に対して受信手続を行う。ワイヤレスアクセスポイント１０６は、ＮＴＳＣに従って実行される受信手続の特性及びパラメーターに関する情報を有していてもよく、したがって、テレビチャネルの余白において新たな信号を送信しようとする場合、これらの値を得るために宛先を尋ねる必要がない。
【００３７】
[0047]ブロック３０６においてレビューされた特性及びパラメーターに基づいて、ブロック３０８において、新たな信号は、既存の信号の受信を混乱させない伝送のために開発されてもよい。新たな信号の発生は、所定の信号の組から新たな信号の変調スキームを導出するか又は新たな信号を選択することを含む、任意の適切な動作を含んでもよい。これは様々な方法のうちの任意のものにおいて行われてもよく、その例は、以下により詳細に記載される。先のＤＡＡ手法とは対照的に、ブロック３０８における処理は、部分的に又は完全に既存の信号と重なってもよい新たな信号に帰着する。重なる（オーバーラップする）新たな信号は、周波数、時間、地理又は任意の他の適切な特性において既存の信号と重複してもよい。しかし、新たな信号が既存の信号の宛先によって処理される場合に新たな信号が宛先における受信機から出力されるデータを大きく変更しないように、新たな信号が生成される。宛先において出力されるデータを実質的に変更しないことによって、新たな信号及び既存の信号の両方がチャネルにおいて送信することができ、あたかも新たな信号が全く存在しないかのように、既存の信号を受信することができる。デジタルデータを送信する既存の信号について、ビットは、新たな信号が送信されることなく受信されるものと同じであるか、又はエラー制御符号（ＥＣＣ）もしくは他のエラー取り扱い技術を使用して誤りを修正することができるように十分に類似したものである。アナログデータを送信する既存の信号については、変更が宛先にとって感知できず、任意のデータ処理がその上で実行されるよう、信号中の偏差はしきい値内にある。したがって、新たな信号が既存の信号と同時に送信される場合、受信機は、許容可能な精度で、既存の信号においてデータを出力する。新たな信号が既存の信号の存在なしに（すなわち、原信号の存在なしに）送信される場合、受信機は、あたかも既存の信号が存在するかのように、情報を出力しない。したがって、宛先が第１の／既存の信号を受信することを予期しているのと同じチャネルで新たな信号が送信される場合でさえ、新たな信号は宛先の動作に影響を及ぼす。
【００３８】
[0048]新たな信号がブロック３０８において一旦生成されると、次にブロック３１０において、新たな信号の宛先が新たな信号を受信して処理する方法に気づくように、新たな信号の変調スキームなどの新たな信号についての任意の適切な伝送パラメーターが新たな信号の宛先−図１の例における計算装置１０８−へ通信されてもよい。この送信は任意の適切な方法でなされてもよい。図１の例において、これは、ワイヤレスアクセスポイント１０６及び計算装置１０８の両方がチャネルにおける任意のトラフィックを混乱させることなくチャネル上で使用するための別のチャネル及びパラメーターに関するデータを交換することができる初期化チャネルとしてワイヤレスアクセスポイント１０６及び計算装置１０８の両方に知られているチャネルを介して変調スキーム及び伝送パラメーターを宛先へ通信することにより行われてもよい。例えば、初期化チャネルは、ワイヤレスアクセスポイント１０６及び計算装置１０８が認可された無線スペクトル中のチャネルの使用について交渉し得る無認可の無線スペクトルにおけるチャネルであってもよい。代替的な実施例において、初期化チャネルは、他のチャネルの使用に関する初期化データの送信のための、ＦＣＣなどの行政機構によって割り当てられた、認可されたスペクトルのチャネルであってもよく、未使用であると知られているチャネルであってもよく、又は無線スペクトルの任意の他の適切なチャネルであってもよい。
【００３９】
[0049]ブロック３１２において、一旦変調スキーム及び任意の他の伝送パラメーターが宛先へ通信されたならば、その後、ワイヤレスアクセスポイント１０６及び計算装置１０８は、ブロック３０２において選択された無線スペクトルの一部において通信し始めてもよい。ワイヤレスアクセスポイント１０６から計算装置１０８への１方向の通信が記載されるが、一旦新たな信号が生成されると、通信を実行するために１つ、２つ又はそれ以上の装置がそれを使用してもよく、通信は新たな信号を使用して、装置のうち任意のものによって開始されてもよいことが認識されるべきである。
【００４０】
[0050]図４は、既存の信号の受信を混乱させない新たな信号を設計するための例となる技術のフローチャートを示す。図４に示される処理４００は本明細書に記載された原理のうちの幾つかに従って実施され得る様々な技術の１つの例にすぎず、任意の適切な技術が使用されてもよいことが認識されるべきである。さらに、上記のように、図４は、図１に示される環境のコンテキストにおいて記載することができるが、本技術はそのような環境において動作することに限定されず、任意の適切な環境が使用されてもよいことが認識されるべきである。
【００４１】
[0051]処理４００はブロック４０２において開始し、ここでワイヤレスアクセスポイント１０６は、無線スペクトルの一部における既存の信号の宛先の特性及びパラメーターをレビューする。特性及びパラメーターは、図３のブロック３０６に関して上述された技術のうち任意のものによることを含む、任意の適切な方法で決定されてもよい。この例において、ブロック４０２における処理は、宛先の受信手続の特性及びパラメーターをレビューする。図３のブロック３０６に関して上述されるように、特性及びパラメーターは、既存の信号に関する情報のデータストアからそれらを取り出すことにより決定されてもよいし、直接決定されてもよいし、又は既存の信号をサンプリングすることにより推論されてもよい。これらの特性及びパラメーターから、ブロック４０４において、受信手続によって認識されたり処理されたりせず、したがって宛先における既存の信号の受信を混乱させない新たな信号の特性を決定することが可能である。
【００４２】
[0052]ブロック４０４における処理は任意の適切な時に行われてもよい。例えば、既存の信号が検知された後、新たな信号が動的に生成されていてもよい。代替的に、新たな信号は既存の信号の予期される特性に基づいて生成されてもよい。一旦そのような信号が検出されると、そのような信号の特性は格納されて使用されてもよい。別の選択肢として、新たな信号の組についての特性が生成されて格納されてもよく、この組から新たな信号が動的に選択されてもよい。
【００４３】
[0053]ブロック４０４において、既存の信号の受信を混乱させない新たな信号の特性を決定することは、任意の適切な方法で行われてもよい。例えば、幾つかの受信手続は、所望の既存の信号において符号化されるビットの値を決定するために、ビット時間Ｔにわたって既存の受信された信号ｒ（ｔ）について実行される、式１などの積分関数を含んでもよい。
【００４４】
【数１】
0005537558.tif 000002
【００４５】
[0054]既存の信号の受信を混乱させることなく既存の信号と同時に送信されるべき新たな信号ｓ（ｔ）を設計する場合、当該新たな信号は、式１に示される積分にわたって影響が小さくなるように設計されるべきである。式２はそのような望ましい関係を示す。
【００４６】
【数２】
0005537558.tif 000003
【００４７】
[0055]式２の小さな又は最小の値に帰着する新たな信号ｓ（ｔ）は、宛先において実行される受信手続に対して無視できる影響を有し、そのような信号におけるデータは宛先によって認識されないか又は処理されない可能性が高い。１つ以上の制約が式２を最小化する信号を生成する際に適用されてもよい。例えば、式２において望まれる関係を達成するために、新たな信号ｓ（ｔ）は範囲（０、Ｔ］の外で制約ｓ（ｔ）＝０に適合する必要があり得る。さらに、新たな信号はその宛先に到着するためにある電力レベルを要求してもよいので、新たな信号ｓ（ｔ）は式３に表される平均エネルギーレベルに対する制約に適合する必要があり得る。
【００４８】
【数３】
0005537558.tif 000004
【００４９】
[0056]式２を満たし、様々な制約に従う新たな信号が生成されてもよい。これは、既知の最適化技術を含む任意の適切な方法で行われてもよい。最適化技術は、様々な制約に適合する新たな信号の特性を出力してもよく、これらの特性は新たな信号を送信するために使用されてもよい。しかし、最適化技術の使用が、新たな信号が様々な制約に従って設計され得る様々な方法のうちの例示的なものにすぎず、他の技術が可能であることが認識されるべきである。
【００５０】
[0057]代替的な実施例では、ブロック４０４において、宛先及び既存の信号の特性及びパラメーターが分析され、新たな信号ｓ（ｔ）はあるしきい値ε未満となるような既存の信号ｒ（ｔ）との十分に低い相関を有するように設計されてもよい。例えば、しきい値εは、既存の信号の宛先における許容されるビットエラーレートを提供する値として、決定されてもよい。例えば、許容されるビットレートは、送信される１００ビットごとに１つのエラー（すなわち、１／１００のビットレート）に設定されてもよい。この実施例において、信号ｓ（ｔ）は、式４及び任意の追加の制約を満たすｓ（ｔ）の値について解くことにより生成され得る。
【００５１】
【数４】
0005537558.tif 000005
【００５２】
[0058］式４を満たす信号ｓ（ｔ）の生成は任意の適切な方法で行うことができ、その例はより詳細に以下に説明される。幾つかの実施例において、信号ｒ（ｔ）は測定によって決定されてもよい。しかし、上述のように、既存の信号ｒ（ｔ）が第２のユーザーによって検出されなくてもよいこともまた認識されるべきである。幾つかのそのような実施例において、図４において分析される信号ｒ（ｔ）は、テレビ放送の構造に関する既知の情報などの、チャネルにおいて送信される既存の信号の構造について知られている情報に従って生成されてもよい。
【００５３】
[0059]新たな信号の特性を決定するためのこれらの技術が、新たな信号を設計するために使用され得る様々な技術の例にすぎず、本発明の実施例が任意の特定の方法で新たな信号を設計することに限定されないことが認識されるべきである。
【００５４】
[0060]一旦新たな信号の特性がブロック４０４において決定されると、その後、ブロック４０６において、新たな信号が、決定された特性に従って生成されて送信されてもよく、処理４００は終了する。
【００５５】
[0061]図５は、既存の信号が符号系列を使用して送信される環境において新たな信号が既存の信号の受信を混乱させないような、幾つかの実施例における、新たな信号を生成するために上記の式を適用する方法の例を示す。しかし、本発明の実施例は任意の適切な方法で信号を設計し得るので、本発明が本明細書に記載されるこの技術又は任意の他の技術を実施することに限定されないことが認識されるべきである。
【００５６】
[0062]図５の例において、既存の信号及び新たな信号の両方を含む信号は、様々な符号系列を使用して送信されてもよい。これらの符号系列は搬送波信号上にデータを変調するために使用されてもよく、送信を受信し復号する場合に信号を互いに区別するために使用されてもよい。例えば、符号系列は、Ｍ系列又はゴールド系列であってもよい。符号系列を使用して符号化された信号が受信される場合、受信機は符号系列を使用して信号を復号し、それによって、所望の信号でない他の受信された信号を検討の対象から取り除くことができる。Ｍ系列（最長系列（ＭＬＳ）としても知られる）及びゴールド系列を使用して信号を送信する技術は、符号分割多重アクセス（ＣＤＭＡ）プロトコルにおいてデータを送信するものなど、関連する技術において知られている。任意の適切な符号信号を使用し得るが、本発明において、そのような既知の技術が信号を送信するために使用されてもよい。
【００５７】
[0063]図５の処理５００はブロック５０２において開始し、ここで、チャネル中に存在し得る既存の信号が検出される。上述のように、チャネル中に存在し得る既存の信号を検出することは、図３のブロック３０４に関して上述された技術のうちの任意のものを含む任意の適切な方法で実行することができる。
【００５８】
[0064]ブロック５０４において、既存の信号はどの符号系列が既存の信号によってデータを送信するのに使用され得るかを決定するために分析される。これは任意の適切な方法で行われてもよい。例えば、実際の既存の信号はこれら既存の信号によって使用される符号を決定するために解析され分析されてもよい。代替的に又はさらに、既存の信号によって使用される既知の符号についての情報は、既存の信号によって使用され得る符号を決定するためにレビューされてもよい。符号は民間放送局などの特定の送信機に割り当てられてもよく、これらの符号は他の送信装置によって知られていてもよいし、又は、ある範囲の符号のうちの少なくとも幾つかが既存の信号によって使用され得ることを新たな送信機が決定することができるように、ある範囲の符号は特定の目的のために割り当てられてもよい。
【００５９】
[0065]ブロック５０６において、既存の信号によって使用される符号系列が一旦知られると、その後、既存の信号の受信を混乱させない新たな信号に対して変調スキームとして使用され得る新たな符号系列が導出されてもよい。これは任意の適切な方法で行われてもよい。例えば、利用可能な符号系列の完全な組を識別することができる場合、未使用の系列が当該組から選択されてもよい。代替的に又はさらに、使用される符号系列のうちのいずれかに対して低い相互相関を有する符号系列は、既存の信号において使用されるすべての符号系列に対して低い相互相関をもつ符号系列が見つかるまで符号系列を変更することにより、計算上又は実験的に識別されてもよい。符号系列間の相互相関は、符号系列とその逆数とにおいて使用されるビットを比較することにより決定されてもよい。符号系列又はその負数（negatives）の完全な重なり（オーバーラップ）がある場合、相互相関は１である；しかし、符号系列又はそれらの負数の間に少なくとも１ビットの差がある場合、相互相関は０に近くなり得る（例えば、−１／Ｎ、ここでＮはビットにおける系列の長さである）。そのような技術はＭ系列及び同様の符号系列の場合に使用されてもよい。
【００６０】
[0066]ゴールド系列を含む他の系列については、符号系列を選択するために他の技術が使用されてもよい。例えば、既存の信号が第１及び第２のゴールド系列を使用して送信される２つの信号ｆ１（ｔ）及びｆ２（ｔ）である場合、その後、既存の信号の受信を混乱させない新たな信号に使用するための変調スキームとしてゴールド系列を導出しようとしている送信機は、各信号間の相関が低いか又はゼロになるように２つの信号ｆ３（ｔ）及びｆ４（ｔ）を選択してもよい。そのような所望の関係は式５−８に示される。
【００６１】
【数５】
0005537558.tif 000006
【００６２】
[0067]式５−８に従い、このように低い相関を有するようにゴールド系列を選択することによって、既存の信号の受信に関する混乱が低減されたか又は混乱がない新たな信号のための変調スキームが選択されてもよい。
【００６３】
[0068]変調スキームがブロック５０６において一旦選択されると、その後、ブロック５０８において、新たな信号は選択された符号系列を使用して送信されてもよく、処理５００は終了する。
【００６４】
[0069]図４のブロック４０４に関して記載された、既存の信号の受信を混乱させない新たな信号の特性を決定するための、上記の実例となる技術のうちの幾つかは、新たな信号を生成するものとして記載された。幾つかの実施例において、新たな信号は、ワイヤレスアクセスポイント１０６などの装置における完全に設定可能な無線機において送信されてもよいし受信されてもよい。幾つかの実施例において、設定可能な無線機は、信号が設計されて送信される方法に対して十分な制御を有するソフトウェア無線機（Software-Defined Radio、ＳＤＲ）として実施されてもよい。そのような実施例において、新たな信号を生成することは、送信されるべき新たな信号を設計することを含んでもよい。しかし、他の無線機において、ソフトウェアは無線機の機能の一部だけを制御してもよいし、又はいずれの機能も制御しなくてもよく、残りの機能はハードウェアであらかじめ定義されてもよい。幾つかのそのような実施例において、図１のワイヤレスアクセスポイント１０６などの無線機は、それにとって利用可能な、新たな信号を生成するために変化させることができる所定の信号特性の組を有していてもよい。生成又は受信することができる信号の種類は、新たな信号に対するさらなる制約として見なすことができる。例えば、計算装置中の無線機は、ソフトウェア制御の下で、各々が１ビット以上のシンボルを表すサブ信号の組から構成された所定の数の信号コンステレーションのうちの１つを使用して通信するように構成されてもよい。相関の分析は、第１のユーザーによって信号を送信するのに使用されるシンボルを表す既知のサブ信号と所定の信号コンステレーションにおけるサブ信号の組との間で行われてもよい。
【００６５】
[0070]低い相関に対して原信号を提供するサブ信号の組が識別されてもよい。この組は新たな信号を生成するために使用されてもよい。当該組は計算装置によってサポートされた所定のコンステレーションから導出されるので、たとえ完全に設定可能な無線機を有していなくても、当該計算装置は新たな信号を生成し得る。
【００６６】
[0071]例えば、図６Ａ及び６Ｂは、本明細書に記載された原理のうちの幾つかに従って動作する無線機によって実施され得る、２つの異なる変調スキームについてのコンステレーション図を示す。２つの変調スキームは、第１の、より低パワーの変調スキーム６００、及び第２の、より高パワーの変調スキーム６０２として示される。２つの変調スキームの各々は８つのシンボルを有する：第１の変調スキーム６００のためのＳ１−Ｓ８及び第２の変調スキーム６０２のためのＳ１０−Ｓ１７。従来の無線機は、信号の送信のために、コンステレーション６００又は６０２のうちの一方又は他方を選択してもよい。
【００６７】
[0072]本明細書に記載された原理の幾つかの実施例において、新たな信号が単一の既存のコンステレーションに基づいて生成されるということは要件ではない。新たなコンステレーションにおけるシンボルの組は、計算装置によりサポートされる異なるコンステレーションからシンボルを選択すること、及び新たな信号が送信されるときにシンボルごとのベースでコンステレーション間でス切り替えることにより導出されてもよい。例えば、新たな信号は、信号の導出されたコンステレーションに基づく導出された変調スキームを使用して送信されてもよい。これらの信号は、計算装置によりサポートされた所定のコンステレーションのうちの１つ、２つ又はそれより多くから選択されてもよい。新たな信号が導出された変調スキームに従って送信されるべきである場合、その後、当該信号は、導出された変調スキームについてシンボルが選択された特定のコンステレーションに関連付けられる無線コンポーネント（例えば、無線ハードウェア）を使用して送信されてもよい。
【００６８】
[0073]そのような導出された変調スキームの一例は、図６Ｃのコンステレーション図に示される。導出された変調スキーム６０４は、第１の変調スキーム６００からのシンボルＳ１及びＳ８並びに第２の変調スキーム６０２からのシンボルＳ１２及びＳ１５を含む、図６Ａ及び６Ｂの変調スキーム６００及び６０２からのシンボルを含んで示される。これらの４つのシンボルは変化するパワー及び位相値を有し、新たな信号はコンステレーションにおけるこれらのシンボルに従って変調される。その後、既存の信号の混乱を低減する新たな信号は、図６Ｃの導出されたコンステレーションのシンボルを使用して送信することができる。
【００６９】
[0074]導出されたコンステレーションに含められるべきシンボルの選択は上記の式２の適応に基づいてもよい。式２のこの形式において、新たな信号及び既存の信号は、送信される時にサブ信号を構成する、シンボルの組によって表される。
【００７０】
[0075]１つの実施例において、既存の信号の各シンボルは間隔ｔ＝（０、Ｔ］でのサブ信号のｒｉ（ｔ）、ｉ＝ｌ，．．．ｎとして送信され、新たな信号の各シンボルはサブ信号ｓｊ（ｔ）、ｊ＝ｌ，．．．ｍとして送信されてもよい。新たな信号は、既存の信号についてサブ信号の組の混乱を最小にする新たな信号についてのシンボルの組を選択することにより生成されてもよい。
【００７１】
[0076]シンボルに対するシンボルの混乱は
【００７２】
【数６】
0005537558.tif 000007
【００７３】
として表されてもよい。
[0077]したがって、新たな信号は、式
【００７４】
【数７】
0005537558.tif 000008
【００７５】
の値を最小化するか、又は少なくとも当該式についての適切に小さな値を提供するように決定されてもよい。
ここでＷｉ，ｊは重み付け関数である。Ｗｉ，ｊは、幾つかの実施例において、一定の重み付け関数にすぎないが、代替的な実施例において、新たな信号によって混乱される既存の信号のシンボルの総数を、混乱の総数よりも最小化するための非線形関数であってもよい。さらに別の実施例において、Ｗｉ，ｊは、代替的に又はさらに、各シンボルが生じる可能性に基づくか、又は他の適切な要因に基づく、重み付け関数であってもよい。
【００７６】
[0078]図７Ａ及び７Ｂは、導出された変調スキームに含めるためのシンボルを選択するために使用され得る技術の１つの例をともに示すが、それは本明細書に記載された原理に従って実施され得る技術の種類のうちの例にすぎないことが認識されるべきである。
【００７７】
[0079]図７Ａ及び７Ｂの処理７００はブロック７０２において開始し、ここで周波数スペクトルの一部における既存の信号が検出される。ブロック７０４において、既存の信号についてのデータを送信するのに使用されるシンボルの組が決定される。上記のように、ブロック７０２及び７０４における検出及び決定は、任意の適切な方法で行われてもよい。例えば、処理７００が実行される時においてスペクトルの一部に存在する信号が検出されてもよく、信号の種類及び／又は構造を調べることを通じて決定される、それらによって使用されるシンボルが検出されてもよい。さらに又は代替的に、ブロック７０２及び７０４の検出及び決定は、そこでブロードキャストされるよう意図された信号の部分の割り当て並びに種類及び構造に関する情報をレビューすることにより行われてもよい。例えば、スペクトルの一部についての情報は、当該一部のうち少なくともいくらかが、１つ以上の変調スキームを使用してテレビコンテンツを送信する際の使用に割り当てられたことを示してもよい。
【００７８】
[0080]ブロック７０６において、処理７００は、新たな信号を生成する際の使用に利用可能なシンボルの１つ以上のサブセット（部分集合）を形成する。これらのシンボルは、シンボルの１つ以上の所定のコンステレーションに関連付けられてもよく、ブロック７０６において形成されるサブセットは、各々、所定のコンステレーションであってもよい。他の実施例において、ブロック７０６において形成されるサブセットは、利用可能なシンボルのすべての置換（順列、permutation）を含んでもよく、その結果、シンボルのすべての利用可能な組み合わせが、利用可能なシンボルについての最も相関の低い組を決定するために、処理７００によって調べられ得る。幾つかの実施例において、利用可能なシンボルのサブセットは任意のサイズであってもよく、一方、他の実施例において、サブセットは、最小のサイズ及び／又は最大のサイズ（例えば、４つものシンボル及び／又はわずか８つのシンボル）の１つであってもよいし、又は他の制約に従ってもよい。
【００７９】
[0081]ブロック７０８において開始し、処理７００は、既存の信号との相関が低い信号の組を見つけるために幾つかのループを開始する。処理は、ブロック７０６において形成されるサブセットの各々におけるシンボルの各々を、ブロック７０２において検出される既存の信号によって使用されるシンボルの組のシンボルの各々に相互に関連付ける。ブロック７０８において、処理７００は、ブロック７０６において形成された１つ以上のサブセットのうち第１のサブセットを選択し、ブロック７１０において、選択された第１のサブセットの第１のシンボルを選択する。ブロック７１２において、既存の信号によって使用されるシンボルの組の第１のシンボルが選択される。
【００８０】
[0082]ブロック７１４において、選択された第１のサブセットのうちの選択された第１のシンボルは、既存の信号によって使用されるシンボルの組のうちの選択された第１のシンボルと相互に関連付けられる。ブロック７１４の相関は、上述の例示的な技術及び式のうちの任意のものに従うことを含む、任意の適切な方法で行われてもよい。ブロック７１６において、ブロック７１４において決定された相関は任意の適切な重み付け関数に従って重み付けされてもよく、ブロック７１８において、ブロック７１６の重み付けされた相関は、ブロック７０８において選択されたサブセットについての任意の以前の重み付けされた相関とともに蓄積されてもよい。このように、サブセットについての相関を表す別個の値が、各サブセットについて計算されてもよい。
【００８１】
[0083]処理７００は、その後、既存の信号による使用においてシンボルの各々を通じてループする。ブロック７２０において、ブロック７１２において選択されず調べられなかったより多くのシンボルが、既存の信号による使用におけるシンボルの組に存在するか否かが決定される。そうであるならば、その後、処理７００はブロック７１２に戻り、新たなシンボルが選択され、ブロック７１４において、現在選択されているサブセット（すなわち、ブロック７１０において最後に選択されたシンボル及びブロック７０８において最後に選択されたサブセット）の現在選択されているシンボルと相互に関連付けられる。その後、ブロック７１４の相関は、重み付けされ、ブロック７０８において選択されたサブセットについての他の重み付けされた相関とともに蓄積される。
【００８２】
[0084]既存の信号による使用におけるサブセット中のすべてのシンボルがブロック７１０において選択されたシンボルと比較された場合（すなわち、ブロック７２０において、既存の信号による使用におけるシンボルの組に、これ以上、選択されていないシンボルが残っていないことが決定される場合）、処理７００は、ブロック７０８において選択されたサブセットにおける利用可能なシンボルの各々を通じてループする。ブロック７２２において、より多くの選択されていないシンボルがブロック７０８において選択されたサブセットに存在するかどうかが決定される。そうであるならば、その後、処理７００はブロック７１０に戻り、サブセットから新たなシンボルを選択する。その後、ブロック７１２において開始するループは再開され、ブロック７１０において新たに選択されるシンボルは、相互に関連付けられ、既存のサブセットによる使用におけるシンボルの組の中のシンボルの各々に対して重み付けされ、重み付けされた相関はブロック７１８において蓄積される。
【００８３】
[0085]ブロック７０８において選択されたサブセットにおけるすべてのシンボルが既存の信号による使用におけるすべてのシンボルと比較された場合（すなわち、ブロック７２２において、これ以上の選択されていないシンボルがブロック７０８において選択されたサブセットに残っていないと決定される場合）、その後、ブロック７２４において、サブセットの蓄積された重みが記録されてもよい。蓄積された重みは、ブロック７１６において計算されブロック７１８において蓄積される、重み付けされた相関についての任意の関数であってもよく、新たな信号について利用可能なサブセットと既存の信号による使用におけるサブセットとの間の全体の相関を表してもよい。
【００８４】
[0086]上述のように、幾つかの実施例において、処理７００などの処理の目標は、既存の信号により使用されるシンボルの組に対して最も相関が低く、したがって既存の信号を使用するデータの通信を混乱させる見込みが最も少ない、新たな信号を生成するために利用可能なシンボルの組を決定することである。したがって、ブロック７２６において、ブロック７０６において形成されたサブセットの組により多くの選択されていないサブセットが残っているかどうかが決定される。そうであるならば、その後、処理７００はブロック７０８に戻り、分析されるべき新たなサブセットを選択する。その後、ブロック７１０及び７１２のループは再開され、新たなサブセットの各シンボルは既存のサブセットによって使用されるシンボルの組の各シンボルと比較される。サブセットの各々についての蓄積された重み付けされた相関は、その後、ブロック７２４において記録され、その結果、利用可能なサブセットと既存の信号により使用されるシンボルの組との間の重み付けされた相関の完全なリストが記録される。
【００８５】
[0087]すべての利用可能なサブセットが処理７００によって調べられたことがブロック７２６において決定されると、その後、ブロック７２８において、蓄積された重み付けされた相関が調べられ、蓄積された重み付けされた相関が最も低いサブセットが、新たな信号としての使用のために選択され、処理は終了する。重み付けされた相関が最も低いシンボルのサブセットは、既存の信号を混乱させる見込みが最も少ないものであり、そのサブセットを使用して送信されるデータは、既存の信号の宛先によってデータとして認識されて処理される見込みが最も少ない。その後、ブロック７２８において選択されたサブセットのシンボルは新たな信号上でデータを送信するために使用される。
【００８６】
[0088]本明細書に記載された実施例のうちの幾つか又はすべてに従って動作する技術は、任意の適切な方法で実施されてもよい。例えば、幾つかの実施例において、そのような技術は、ハードディスクドライブなどの磁気媒体、コンパクトディスク（ＣＤ）もしくはデジタルバーサタイルディスク（ＤＶＤ）などの光学媒体、永続的（persistent）もしくは非永続的な固体メモリー（例えば、フラッシュメモリー、磁気ＲＡＭなど）又は任意の他の適切な記憶媒体などの、１つ以上のコンピューター読み取り可能な記憶媒体上に符号化されるコンピューター実行可能命令として実施されてもよい。コンピューター読み取り可能な記憶媒体は、図８のコンピューター読み取り可能な記憶媒体８０６として（すなわち、計算装置８００の一部として）、又は別個のコンピューター記憶媒体として実施されてもよい。本明細書において使用されるとき、「コンピューター読み取り可能な記憶媒体」を含む「コンピューター読み取り可能な媒体」は、データを記録する処理の間に、ある方法で変更され得る、少なくとも１つの物理的性質を有する有形の記憶媒体を指すことが認識されるべきである。例えば、コンピューター読み取り可能な媒体の物理構造の一部の磁化状態が、記録処理中に変更されてもよい。
【００８７】
[0089]幾つかのそのような実施例において、本明細書に記載された原理に従って動作する技術を実施するコンピューター実行可能命令は、１つ以上のスタンドアローンの機能的な設備（例えば、上述の応答設備）として実施されてもよい。しかし、上述のように、「機能的な設備」は、ソフトウェア要素の一部又は全体（例えば、関数又は離散的処理）であってもよい、例示的には固有の運用上の役割を行う、システムの構造のコンポーネントである。一般に、機能的な設備は、特定のタスクを実行するか又は特定の抽象データ型を実施する、ルーチン、プログラム、オブジェクト、コンポーネント、データ構造などを含む。通常、様々な実施例において望まれるように、機能的な設備の機能は組み合わせられてもよいし又は分散されてもよい。これらの機能的な設備は、幾つかの実施例において、ソフトウェアプログラムアプリケーションを実施するかもしくは計算装置のオペレーティングシステムを実施する機能的な設備などの他の関連のない機能的な設備及び／又は処理とインタラクトするように構成されてもよいし、又は、他の実施例においては、モジュールは、ワシントン州レドモンドのマイクロソフト株式会社から入手可能なウィンドウズ（登録商標）オペテーティングシステムを含むオペレーティングシステムなどのシステム全体を当該モジュールとともに形成する、他の機能的な設備とインタラクトするように構成されてもよい。言いかえれば、幾つかの実施例において、機能的な設備は、代替的に、オペレーティングシステムの一部として又はその外部で実施されてもよい。幾つかの実施例において、幾つかの機能的な設備が他のものとは別個に実施されてもよいし、又は幾つかの機能的な設備は実施されなくてもよいこともまた認識されるべきである。
【００８８】
[0090]すべてではないが幾つかの実施例において、本技術は、図１の例示的なコンピューターシステムを含む、任意の適切なコンピューターシステムにおいて動作する任意の適切な計算装置上で実行され得るコンピューター実行可能命令として具体化されてもよい。これらのコンピューター実行可能命令は、各々がそのような技術の実行を完了するために必要とされる１つ以上の動作を提供する、多くの機能的な設備として実施されることを含む、任意の適切な方法で実施されてもよい。各機能的な設備はそれ自身の方法で実施されてもよい；すべてが同じ方法で実施される必要はない。本明細書において使用される場合、機能的な設備は、運用上の役割を実行するシステムの構造のコンポーネントである。運用上の役割は、ソフトウェア要素の一部又は全体であってもよい。例えば、機能的な設備は、処理、離散的処理又は処理についての任意の他の適切なユニットの機能を実行してもよい。機能的な設備はコンピューター実行可能命令を含んでもよく、さらに以下に述べられるように、１つ以上のコンピューター読み取り可能な記憶媒体上に符号化されてもよい。さらに、そのようなコンピューター実行可能命令は、多くの適切なプログラミング言語及び／又はプログラミングツールもしくはスクリプトツールのうちの任意のものを使用して書かれてもよく、また、フレームワーク又は仮想計算機上で実行される、実行可能な機械語コード又は中間コードとしてコンパイルされてもよい。必要に応じて、機能的な設備は、並行して又は連続的に実行されてもよく、メッセージ受け渡しプロトコル（message passing protocol）を使用して又は任意の他の適切な方法で、それらが実行されるコンピューター上の共有メモリーを使用するもの同士の間で情報を受け渡してもよい。
【００８９】
[0091]例示的な機能的な設備は、１つ以上のタスクを実行するために本明細書において記載されるが、当該機能的な設備及びタスクの分割は本明細書に記載された例示的な技術を実施し得る機能的な設備の種類の例にすぎず、本発明は、いかなる特定の数、分割、又は種類の機能的な設備において実施されることにも限定されないことが認識されるべきである。幾つかの実施例において、すべての機能は単一の機能的な設備において実施されてもよい。
【００９０】
[0092]これらの機能的な設備は、単一の多目的のプログラマブルなデジタルコンピューター装置、処理能力を共有し共同で本明細書に記載の技術を実行する２つ以上の多目的のコンピューター装置の協調的なシステム、本明細書に記載の技術を実行することに特化した単一のコンピューター装置又は（共同に配置されたか又は地理的に分散された）コンピューター装置の協調的なシステム、本明細書に記載した技術を実行するための１つ以上のアプリケーション特有の集積回路（ＡＳＩＣ）、本明細書に記載した技術を実行するための１つ以上のフィールドプログラマブルゲートアレイ（ＦＰＧＡ）、又は任意の他の適切なシステム上で動作してもよい。
【００９１】
[0093]図８は、本明細書に記載の技術を実施するシステムにおいて使用され得る計算装置８００の形式で計算装置の１つの例示的な実施例を示すが、他のものも可能である。さらに、図８が、計算装置が本明細書に記載された原理に従って動作するのに必要なコンポーネントの描写であるようにも、また、包括的な描写であるようにも意図されていないことが認識されるべきである。
【００９２】
[0094]計算装置８００は、少なくとも１つのプロセッサー８０２、設定可能な無線機８０４及びコンピューター読み取り可能な記憶媒体８０６を含んでもよい。計算装置８００は、例えば、デスクトップもしくはラップトップパソコン、携帯情報端末（ＰＤＡ）、スマートモバイルフォン、サーバー、ワイヤレスアクセスポイントもしくは他のネットワーク要素、又は任意の他の適切な計算装置であってもよい。設定可能な無線機８０４は、計算装置８００が任意の適切なコンピューティングネットワークを介して任意の他の適切な計算装置と無線で通信することを可能にするための、任意の適切なハードウェア及び／又はソフトウェアであってもよい。コンピューティングネットワークは、ワイヤレスアクセスポイントのほか、インターネットを含む、２つ以上のコンピューター間でデータを交換するための任意の適切な有線及び／又は無線通信媒体を含んでもよい。設定可能な無線機の例は、図９に関してより詳細に以下に記載される。コンピューター読み取り可能な媒体８０６は、処理されるべきデータ及び／又はプロセッサー８０２によって実行されるべき命令を格納するように構成されてもよい。プロセッサー８０２は、データの処理及び命令の実行を可能にする。データ及び命令は、コンピューター読み取り可能な記憶媒体８０６上に格納されてもよく、例えば、計算装置８００のコンポーネント間の通信を可能にしてもよい。
【００９３】
[0095]コンピューター読み取り可能な記憶媒体８０６上に格納されたデータ及び命令は、本明細書に記載された原理に従って動作する技術を実施するコンピューター実行可能命令を含んでもよい。図８の例において、コンピューター読み取り可能な記憶媒体８０６は、上述のように様々な機構を実施し様々な情報を格納するコンピューター実行可能命令を格納する。コンピューター読み取り可能な記憶媒体８０６は信号設計設備８０８を格納する。信号設計設備は、上述の例示的な技術のうちの任意のものによることを含む任意の適切な方法で、任意の適切な信号設計処理を実行するように構成されてもよい。幾つかの実施例において、信号設計設備８０８は、図５、６Ａ、６Ｂ及び７に関する上述の変調スキーム選択技術によって変調スキームを選択するために実施されてもよく、他の実施例において、信号設計設備８０８は任意の他の方法で信号設計処理を実行するために実施されてもよい。コンピューター読み取り可能な記憶媒体８０６は、さらに、所定のコンステレーション並びに／又は所定の信号及びサブ信号に関連付けられる複数の変調シンボルを各々が有する、複数の変調スキーム８１０を格納してもよい。これらの変調シンボルは、データが設定可能な無線機８０４を介して新たな信号上で送信される、新たな変調スキームを導出するために使用されてもよい。コンピューター読み取り可能な記憶媒体８０６は、さらに、既存の信号特性についての情報８１２を含んでもよい。既存の信号特性についての情報８１２は、計算装置が直面し、新たな信号を設計するために分析され得る、既存の信号についての任意の適切な情報を含んでもよい。この情報８１２は、符号系列などの、信号自体についての任意の適切な情報；受信手続の特性及びパラメーターなどの、既存の信号の宛先によって実行される受信手続についての任意の適切な情報；及び／又は既存の信号の宛先によって使用され得る装置についての任意の適切な情報を含んでもよい。この情報は、既存の信号の受信を混乱させない新たな信号を設計するために、信号設計設備８０８によって使用されてもよい。
【００９４】
[0096]任意の適切な種類の設定可能な無線機は、部分的に設定可能であるにすぎない無線機又はＳＤＲなどの完全に設定可能なものを含む、本明細書に記載された原理に従う設定可能な無線機８０４として実施されてもよい。図９は、設定可能な無線機についての１つのアーキテクチャーのブロック図を示す。しかし、図９に示される設定可能な無線機９００は、本明細書に記載された原理に従って実施され得る設定可能な無線機の種類の例に過ぎないことが認識されるべきである。さらに、図９のブロック図が概略図であり、図９のアーキテクチャーに従って実施される無線機がさらに任意の他の適切な無線要素を含んでもよいことが認識されるべきである。
【００９５】
[0097]図９のブロック図は、情報が無線機９００を介して移動し得る２つのパスを示す：上部の送信機パス及び下部の受信パスである。両方のパスは、信号が送信され及び／又は受信され得るアンテナ９０８に接続される。パスのすべての要素は、ユーザーから又は無線機９００がその一部である計算装置において実行される機能的な設備からなど、外部要素からの入力に従って無線機が構成され得る設定（configuration）論理コントローラー９１６に接続される。
【００９６】
[0098]無線機９００の上部の送信パスは、無線機の外から送信パスへ入力されるデータにエラー制御符号（ＥＣＣ）が適用され得る、エラー制御（ＥＣ）符号器９０２を含む。その後、ＥＣＣを適用されたデータは、変調スキームがデータに適用される変調器素子９０４へ入力されてもよい。上述の例示的な技術のうちの任意のものに従って導出された変調スキームを適用するために、変調器９０４は設定論理回路素子９１６によって設定されてもよい。その後、変調されたデータは、アンテナ９０８に印加されて無線で送信されるように、無線周波数（ＲＦ）送信機９０６に渡されてもよい。ＲＦ送信機９０６は、既存の信号の受信を混乱させることなく送信され得る送信のための新たな信号を設計するために、変調されたデータを任意の方法で修正するように構成されてもよい。
【００９７】
[0099]無線機９００の下部の送信パスは、信号を受信し処理するＲＦ受信機９１０を含む。ＲＦ受信機９１０は、復調器素子９１２へ受信されたデータを渡してもよい。ともに、ＲＦ受信機９１０及び復調器９１２は、受信された信号から所望の信号を得るために受信手続を行ってもよい。この受信手続は、任意の適切な特性及びパラメーターに従って任意の適切な方法で行われてもよく、設定論理回路（configuration logic）９１６によって制御されてもよい。所望の信号に含まれていたデータは、任意のデータ誤り及び／又はデータ損失が検出され及び／又は補正され得るように、復調器９１２によってＥＣ復調器９１４に提供されてもよい。任意の誤りが補正された場合、その後、データは、プロセッサー、メモリー又は他の素子などの、無線機の外部の要素に供給されてもよい。
【００９８】
[00100]本発明の少なくとも１つの実施例の幾つかの態様について記載してきたが、様々な変更、修正及び改良が当業者にとって容易に思いつくことが認識されるべきである。
[0100]そのような変更、修正及び改良は、この開示の一部であるように意図され、発明の趣旨及び範囲内にあるように意図される。したがって、先の記載及び図面は例としてのものにすぎない。
【００９９】
[0101]本発明の様々な態様は、単独で、組み合わせて、又は前述の記載に述べられた実施例において特に述べられていない様々な構成において使用されてもよく、したがって、先の記載において述べられ又は図面に示されたコンポーネントの詳細及び構成に対するその応用に限定されていない。例えば、１つの実施例において述べられた態様は、他の実施例において述べられた態様と任意の方法で組み合わされてもよい。
【０１００】
[0102]また、本発明は、その例が提供された方法として具体化されてもよい。当該方法の一部として実行される動作は、任意の適切な方法で順序付けられてもよい。したがって、実例となる実施例において順次的な動作として示されたとしても、動作が、幾つかの動作を同時に行うことを含み得る、示されたものとは異なる順序で行われるような、実施例が構築されてもよい。
【０１０１】
[0103]請求項の要素を修飾する、特許請求の範囲における「第１の」、「第２の」、「第３の」などの順序を示す用語の使用は、それ自体によっては、別の請求項要素に対するある請求項要素のいかなる優先順位も、優先権も、順序も、また、方法の動作が実行される時間的な順序も暗示しないが、（順序を示す用語の使用を別にすれば）請求項の要素を区別するために、ある名前を有する１つの請求項要素を同じ名前を有する別の請求項要素と区別するためにラベルとして使用されるにすぎない。
【０１０２】
[0104]また、本明細書に使用される表現及び用語は説明のためのものであり、制限的なものであると見なされるべきでない。本明細書における「含む」、「備える」、「有する」、「含有する」、「包含する」、及びそれらの変形は、そのあとにリストされる項目及びそれらの均等物のほか、追加の項目を包含するように意図される。
【図１】
0005537558.tif 000009
【図２】
0005537558.tif 000010
【図３】
0005537558.tif 000011
【図４】
0005537558.tif 000012
【図５】
0005537558.tif 000013
【図６Ａ】
0005537558.tif 000014
【図６Ｂ】
0005537558.tif 000015
【図６Ｃ】
0005537558.tif 000016
【図７Ａ】
0005537558.tif 000017
【図７Ｂ】
0005537558.tif 000018
【図８】
0005537558.tif 000019
【図９】
0005537558.tif 000020